(57)【特許請求の範囲】
【請求項１】
廃材または新規骨材を加熱するドライヤの下流に排ガス中の微細ダストを捕捉するオイルミストフィルターまたはバグフィルターを配設すると共に、該オイルミストフィルターまたはバグフィルターと前記ドライヤとの間に、排ガス中の粘着性ダストを捕捉するろ材である砕石を底部が金網にて構成された略方形状の砕石カゴに所定の厚みで敷き詰めると共に、この砕石カゴを排ガス流と直交するように所定数隙間なく並べてなる砕石フィルターを介設したことを特徴とするアスファルト合材製造プラント。
【発明の詳細な説明】
【０００１】
【発明の属する技術分野】
本発明は、道路舗装材であるアスファルト合材を製造するプラントに関する。
【０００２】
【従来の技術】
道路工事等によって掘り起こされたアスファルト舗装廃材（以下「廃材」という）は、所定温度まで加熱されてから新規骨材と所定割合にて混合され、新規なアスファルト合材として再生されるようになってきており、廃材を加熱再生するリサイクルプラントが新規アスファルト合材を製造するアスファルトプラントに併設されるケ−スも多くなってきている。
【０００３】
廃材はその表面にアスファルト分を多く付着させており、ドライヤにて加熱するとそのアスファルト分が溶融して粘着性を有するようになり、その粘着性のある油分を含んだダストをドライヤ下流に飛散させることとなる。このため、ドライヤの下流に配置される集塵装置は、ダストや石粉等をろ材表面にコーティングするプレコート方式のバグフィルターや使い捨てのグラスウールをろ材とするオイルミストフィルター等が採用されている。
【０００４】
【発明が解決しようとする課題】
しかしながら、プレコート方式のバグフィルターやオイルミストフィルターを採用して工夫をしているが、取り扱うダストが粘着性を有するためにろ材の寿命が短いなどメンテナンス面において未だ問題を有していた。また、油分がろ材に多量に付着してくると火種が入った場合に火災を生じやすいという問題も有していた。
【０００５】
本発明は上記の点に鑑み、バグフィルターやオイルミストフィルターなどの集塵装置の上流に粘着性ダストを除去するための、簡単で、かつ低コストの前処理装置を備えることによって、集塵装置のろ材の長寿命化、火災防止を図れるようにしたアスファルト合材製造プラントを提供することを目的とする。
【０００６】
【課題を解決するための手段】
本発明は上記の目的を達成するために、廃材または新規骨材を加熱するドライヤの下流に排ガス中の微細ダストを捕捉するオイルミストフィルターまたはバグフィルターを配設すると共に、該オイルミストフィルターまたはバグフィルターと前記ドライヤとの間に、排ガス中の粘着性ダストを捕捉するろ材である砕石を底部が金網にて構成された略方形状の砕石カゴに所定の厚みで敷き詰めると共に、この砕石カゴを排ガス流と直交するように所定数隙間なく並べてなる砕石フィルターを介設したことを特徴としている。
【０００７】
【発明の実施の形態】
本発明のアスファルト合材製造プラントにあっては、ドライヤから排出される排ガスが砕石フィルターを通過すると、排ガス中の粘着性ダストがろ材である砕石に衝突して付着し、その大部分が除去される。そして粘着性ダストの少なくなった排ガスが下流の集塵装置へと流れるので、集塵装置の負担も大幅に軽減されてメンテナンスもしやすくなり、またろ材の寿命も長くなる。
【０００８】
また、ドライヤから導出された火種は、砕石フィルターの砕石層によって下流への進行を阻止されて下流の集塵装置に到達することもなく、これによって集塵装置内での火災の発生も防止できる。
【０００９】
【実施例】
以下、本発明の実施例を図面に基づいて説明する。
【００１０】
図中の１は廃材を加熱再生するドライヤであって、円筒状のドラム２を回転自在に傾斜支持して所定の速度で回転させるようにしている。またドライヤ１の下位にはバーナ３を配設し、バーナ３の前方部には火炎を形成する燃焼室４を配設し、該燃焼室４をドライヤ１のホットホッパ５に連結してバーナ３で発生させた熱風をドライヤ１内に導入するようにしている。
【００１１】
そして、ホットホッパ５側より供給された廃材をドラム２内部に配設した多数の掻き上げ羽根によって掻き上げながら転動流下させる間にバーナ３より送り込まれる熱風と接触させて所定温度まで加熱し、ドラム２の端部に配設したコ−ルドホッパ６下部に配設した廃材排出口７より排出する。
【００１２】
また、ドラム２内から導出される排ガスは、排気煙道８の下流に配設した排風機９により吸引されて粗粒ダストを捕捉するサイクロン集塵機１０へと導かれ、更に砕石フィルター１１を通過してオイルミストフィルターまたはバグフィルタ−等の微細ダストを捕捉する集塵装置１２を通過して煙突１３より大気中に放出される。
【００１３】
前記砕石フィルター１１は図２に示すように、本体となる集塵室１４の略中央高さ付近に、図３に示すような底部が金網１５により構成された略５００ｍｍ四方の砕石カゴ１６を複数個隙間なく並べると共に、砕石カゴ１６にはそれぞれ５号砕石（粒径２０ｍｍ〜１３ｍｍ）を略３０ｍｍ〜５０ｍｍの厚みで敷き詰めて砕石ろ過層を形成している。
【００１４】
また、集塵室１４の正面中央部には砕石カゴ１６を出し入れする砕石カゴ用扉１７を備えると共に、下部付近には砕石カゴ１６より落下したダスト分を取り出す清掃用扉１８を備えている。なお、砕石カゴ１６の上下位置に跨がるようにマノメータを取り付け、排ガス通過時の砕石ろ過層前後の差圧を検出するようにして砕石ろ過層のダスト付着状況を把握できるようにしておくと良い。
【００１５】
次に、上記砕石フィルター１１を採用して運転した結果を述べると、運転開始当初、砕石ろ過層前後の差圧は２０ｍｍＡｑ程度で推移し、１０時間経過した時点では差圧は２６ｍｍＡｑで砕石は少し黒くなる程度で砕石に粘着性ダストの付着するのが確認できた。そして、運転を継続するにつれて差圧は次第に上昇し、約９５時間経過した時点で３００ｍｍＡｑとなり、砕石に粘着性ダストが多量に付着して砕石が真っ黒になっているのを確認した。
【００１６】
ここで砕石カゴ１６を取り出し、敷き詰めた砕石を篩うと付着したダストの多くを篩い落とすことが可能なことも確認でき、付着したダストを篩い落とした後に砕石を敷きならして集塵室内に再度設置すると運転が再開できる程度に差圧が低下することも確認することができた。
【００１７】
更に、火災の原因となる火種の進入も砕石ろ過層で阻止できることやダストの付着した砕石をアスファルト合材に混ぜて再利用することも可能なことも確認することができ、砕石をろ材とする砕石フィルター１１の有効性を確認することができた。
【００１８】
このように、砕石フィルター１１をバグフィルターやオイルミストフィルター等の集塵装置１２の手前に設置すると、排ガス中の粘着性ダストの大部分を前処理的に除去することができる。また、ろ材となる砕石は容易に入手できて安価で、かつ耐火性も高く、また装置も簡単で既設のプラントにも容易に取り付けられ利点もある。
【００１９】
図４は本発明の他の実施例を示すもので、ドライヤ１の排ガス出口付近に砕石フィルタ−１９を設置したもので、ドライヤ出口付近にて粘着性ダストを捕捉すると、下流の煙道内へのダストの付着も少なくできて煙道の閉塞も防止され、またダスト粗粒分を除去するサイクロン集塵機も不要となる可能性もある。このようにドライヤ２の下流の適宜位置に砕石フィルタ−を設置するとそれ以降下流への粘着性ダストの飛散を防止でき、下流の装置を保護できる。
【００２０】
なお、本実施例では砕石カゴ１６に敷き詰める砕石として５号砕石を例にあげて説明したが、５号砕石以外の骨材を使用しても良く、また砕石カゴ１７の設置段数を複数段としても良く、排ガスの性状、量等考慮して適宜決定すると良い。
【００２１】
また、本実施例では砕石フィルターを廃材加熱用のドライヤに取り付ける例を説明したが、廃材と新規骨材を加熱するドライヤを併設してその排気煙道を合流させて集塵装置を取り付けるタイプのプラントにも採用でき、更には新規骨材を加熱するドライヤの下流にも簡易集塵機として取り付けられることは勿論である。
【００２２】
【発明の効果】
以上のように、本発明のアスファルト合材製造プラントにあっては、廃材または新規骨材を加熱するドライヤの下流に排ガス中の微細ダストを捕捉するオイルミストフィルターまたはバグフィルターを配設すると共に、該オイルミストフィルターまたはバグフィルターと前記ドライヤとの間に、排ガス中の粘着性ダストを捕捉するろ材である砕石を底部が金網にて構成された略方形状の砕石カゴに所定の厚みで敷き詰めると共に、この砕石カゴを排ガス流と直交するように所定数隙間なく並べてなる砕石フィルターを介設したので、簡単な装置で排ガス中の粘着性ダストを除去することができて下流の集塵装置のオイルミストフィルターまたはバグフィルターの負担を軽減することができ、ろ材の寿命を長くすることができる。
【００２３】
また、火災の原因となる火種が下流の集塵装置に進入しようとしても砕石フィルターの砕石ろ過層で阻止することができて火災を防止することができる。
【図面の簡単な説明】
【図１】本発明のアスファルト合材製造プラントの概要構成図である。
【図２】砕石フィルターの一部切り欠き斜視図である。
【図３】砕石フィルター内に収納される砕石カゴの斜視図である。
【図４】本発明の他の実施例を示す一部切り欠き説明図である。
【符号の説明】
１…ドライヤ                １６…砕石カゴ
１１…砕石フィルター          １２…集塵装置
【図１】
0003802948.tif 000002
【図２】
0003802948.tif 000003
【図３】
0003802948.tif 000004
【図４】
0003802948.tif 000005